(57)【要約】【課題】従来は、ユーザー側では、欲しい情報がはっきりしないと検索できない、検索結果が多すぎて欲しい情報が見つけられない、情報を保管しにくい、といった問題点があり、一方、情報を配信する企業側では、情報がピックアップされる機会が少ない、ニーズのあるユーザー以外にターゲットを広げにくい、といった問題点があった。【解決手段】広告印刷物が電子ファイルとしてＷＥＢサイトに掲載され、ＷＥＢ公開手段たるＷＥＢサーバー２にて公開される情報配信システムであって、前記電子ファイルがストレージ手段によってストレージサーバー１に収蔵保管され、前記広告印刷物の掲載者が所有する情報端末４からの電子ファイル選択データ送信によって前記電子ファイルの公開／非公開が任意に選択されることが可能であり、前記電子ファイルの一元管理が可能であることを特徴とする情報配信システム。【選択図】図１
2007018227.tif 000002
【特許請求の範囲】
【請求項１】
広告印刷物が電子ファイルとしてＷＥＢサイトに掲載され、ＷＥＢ公開手段たるＷＥＢサーバーにて公開される情報配信システムであって、前記電子ファイルがストレージ手段によってストレージサーバーに収蔵保管され、前記広告印刷物の掲載者が所有する情報端末からの電子ファイル選択データ送信によって前記電子ファイルの公開／非公開が任意に選択されることが可能であり、前記電子ファイルの一元管理が可能であることを特徴とする情報配信システム。
【請求項２】
さらに前記電子ファイルに関連した情報の配信として、広告印刷物掲載者等による関連案内・説明・広告などの情報データが前記ＷＥＢサイトに掲載され、ＷＥＢ公開データと印刷物双方の利点を備えた媒体として情報が配信されることを特徴とする請求項１に記載の情報配信システム。
【請求項３】
さらに前記ＷＥＢサイトの閲覧者によって前記電子ファイルのうち前記閲覧者が気に入ったものが選択可能であり、選択された電子ファイルがバインダーとして前記ＷＥＢサイト上及び前記ストレージサーバー上で管理され、前記バインダーが前記閲覧者によってＷＥＢサーバーにて公開され閲覧可能とされ得ることを特徴とする請求項１又は２に記載の情報配信システム。
【請求項４】
広告印刷物が電子ファイルとしてＷＥＢサイトに掲載され、インターネット上に公開される情報配信方法であって、前記電子ファイルが収蔵保管される収蔵保管工程と、前記広告印刷物の掲載者が所有する情報端末からの電子ファイル選択データ送信によって収蔵保管されている前記電子ファイルの公開／非公開が任意に選択され得る公開／非公開選択工程とを含み、前記電子ファイルの一元管理が可能であることを特徴とする情報配信方法。
【請求項５】
さらに前記電子ファイルに関連した情報の配信として、広告印刷物掲載者等による関連案内・説明・広告などの情報データが前記ＷＥＢサイトに掲載され、ＷＥＢ公開データと印刷物双方の利点を備えた媒体として情報が配信されることを特徴とする請求項４に記載の情報配信方法。
【請求項６】
さらに前記ＷＥＢサイトの閲覧者によって前記電子ファイルのうち前記閲覧者が気に入ったものが選択される選択工程と、選択された電子ファイルがバインダーとして管理されるバインダー管理工程と、前記バインダーが前記閲覧者によってＷＥＢサーバーにて公開され閲覧可能にされるバインダー公開工程とを含むことを特徴とする請求項４又は５に記載の情報配信方法。
【発明の詳細な説明】
【技術分野】
【０００１】
本発明は、特に広告印刷物を電子ファイル化した情報配信システムに関する。
【背景技術】
【０００２】
従来型の情報配信システムにおいては、情報を必要とするユーザーの側からは、欲しい情報がはっきりしないと検索できず情報を入手できない、検索結果が多すぎて自分の欲しい情報が見つけられない、情報を何ページにもわたって印刷しなくてはならず、保管しにくい、といった問題点があり、一方、情報を配信する企業の側からは、数ある情報の中から自分の情報がピックアップされる機会が少ない、ニーズのあるユーザーしか購買せずターゲットを広げにくい、といった問題点があった。（例えば、特許文献１を参照）
【特許文献１】特開２００２−２７８８７７号公報
【発明の開示】
【発明が解決しようとする課題】
【０００３】
本発明は、このような状況に鑑みてなされたものであり、上記問題点を解決できる情報配信システムを提供することを目的とする。
【課題を解決するための手段】
【０００４】
本発明は上記課題を解決すべく、以下に掲げる構成とした。
請求項１記載の発明の要旨は、広告印刷物が電子ファイルとしてＷＥＢサイトに掲載され、ＷＥＢ公開手段たるＷＥＢサーバーにて公開される情報配信システムであって、前記電子ファイルがストレージ手段によってストレージサーバーに収蔵保管され、前記広告印刷物の掲載者が所有する情報端末からの電子ファイル選択データ送信によって前記電子ファイルの公開／非公開が任意に選択されることが可能であり、前記電子ファイルの一元管理が可能であることを特徴とする情報配信システムに存する。  
請求項２記載の発明の要旨は、さらに前記電子ファイルに関連した情報の配信として、広告印刷物掲載者等による関連案内・説明・広告などの情報データが前記ＷＥＢサイトに掲載され、ＷＥＢ公開データと印刷物双方の利点を備えた媒体として情報が配信されることを特徴とする請求項１に記載の情報配信システムに存する。
請求項３記載の発明の要旨は、さらに前記ＷＥＢサイトの閲覧者によって前記電子ファイルのうち前記閲覧者が気に入ったものが選択可能であり、選択された電子ファイルがバインダーとして前記ＷＥＢサイト上及び前記ストレージサーバー上で管理され、前記バインダーが前記閲覧者によってＷＥＢサーバーにて公開され閲覧可能とされ得ることを特徴とする請求項１又は２に記載の情報配信システムに存する。
請求項４記載の発明の要旨は、広告印刷物が電子ファイルとしてＷＥＢサイトに掲載され、インターネット上に公開される情報配信方法であって、前記電子ファイルが収蔵保管される収蔵保管工程と、前記広告印刷物の掲載者が所有する情報端末からの電子ファイル選択データ送信によって収蔵保管されている前記電子ファイルの公開／非公開が任意に選択され得る公開／非公開選択工程とを含み、前記電子ファイルの一元管理が可能であることを特徴とする情報配信方法に存する。
請求項５記載の発明の要旨は、さらに前記電子ファイルに関連した情報の配信として、広告印刷物掲載者等による関連案内・説明・広告などの情報データが前記ＷＥＢサイトに掲載され、ＷＥＢ公開データと印刷物双方の利点を備えた媒体として情報が配信されることを特徴とする請求項４に記載の情報配信方法に存する。
請求項６記載の発明の要旨は、さらに前記ＷＥＢサイトの閲覧者によって前記電子ファイルのうち前記閲覧者が気に入ったものが選択される選択工程と、選択された電子ファイルがバインダーとして管理されるバインダー管理工程と、前記バインダーが前記閲覧者によってＷＥＢサーバーにて公開され閲覧可能にされるバインダー公開工程とを含むことを特徴とする請求項４又は５に記載の情報配信方法に存する。
【発明の効果】
【０００５】
本発明の情報配信システムは、広告印刷物という情報の密度と確度の高い情報ソースを電子ファイルとして配信することができるため、通常の広告印刷物送付に比して、印刷・郵送コストや人件費を削減でき、ユーザーが欲する情報を集約した形でユーザーに対して容易に提供できるという効果を奏する。
【０００６】
また本発明の情報配信システムは、電子ファイルの公開／非公開の選択、アーカイブ整理などを利用可能な、非常に利便性の高いオンラインストレージシステムとしても使用可能であるため、情報を発信する企業側にとって単なる検索サイトではなく提案型情報提供ツールを備えたサイトであり販促機会を広げることができるという効果を奏する。
【発明を実施するための最良の形態】
【０００７】
以下に、図を参照しつつ本発明の実施形態を詳細に説明する。
図１に示すように、本発明はストレージ手段たるストレージサーバー１、ＷＥＢ公開手段たるＷＥＢサーバー２から構成される情報配信システム５であり、任意でサイト閲覧者の情報端末３及び／又は広告印刷物の掲載者が所有する情報端末４を含み得る。ストレージサーバー１とＷＥＢサーバー２は、双方の機能を有する同一のサーバーであっても良い。
【０００８】
本発明においては、広告印刷物、主にパンフレットやポスターが提供する情報の情報源として用いられ、これを電子ファイル化したデータを配信する。主たる情報源をパンフレットとするのは、パンフレットが他の宣伝媒体と比較して、限られた紙面中に良く選別された優良な情報が満載されており、一見してレイアウトがわかりやすく、ユーザーにとって信頼の置ける情報源であり、本発明の情報配信システムの目的に適う媒体だからである。
【０００９】
電子ファイル化された広告印刷物は、ＰＤＦファイルであることが好ましい。これは、送受信の際の容量の面において比較的データサイズが小さく済み、またＰＣの画面上で閲覧する際にもプリンターなどで印刷する際にも利便性が高く、ビューアーの普及の面でも有利なためである。
【００１０】
この電子ファイル化された広告印刷物は、ＷＥＢサーバー２と接続したストレージサーバー１に収蔵保管される。収蔵管理される電子ファイルは、図２のようにフォルダ管理機能等により機能的に管理することが可能であり、広告印刷物情報掲載者にとっては本発明の情報配信システムはオンラインストレージサービスとしても好適に使用可能となるため、高い利便性を提供することができる。収蔵保管されている電子ファイルは、広告印刷物情報掲載者の情報端末から選択し電子ファイル選択データを送信することで、そのＷＥＢへの公開／非公開を任意に設定することができる。非公開データを保管用或いは社内閲覧用とし、公開データと分けつつ、一括してストレージできるため、広告印刷物情報掲載者にとって情報の発信・管理・保管を一元化して有効活用できるという優れた効果を奏する。また、図２のようにＷＥＢサーバー２によって公開されるデータは電子ファイル化された広告印刷物のみに限定されず、広告印刷物と関連した案内・説明・広告などの情報データと共に公開されるため、広告印刷物情報掲載者にとっては広報宣伝情報の一元管理を可能にし、ユーザーの側にとっては有機的連携を持つ魅力的な情報サイトとなる。このような電子ファイル化された広告印刷物と関連した情報は、主にHTML形式でストレージサーバー１上に保管管理されるが、この関連情報についても広告印刷物情報掲載者はＷＥＢサーバー２及びインターネット等を通じて編集を行うことが可能である。
【００１１】
パンフレットを主とした広告印刷物という広告媒体を電子ファイル化してＷＥＢにて公開することにより、下記の表１のように、本発明は単なる湊合ではない顕著な効果を奏する。すなわち、ＷＥＢ公開により潜在ニーズをより強く掘り起こすとともにＷＥＢデータにはない信頼性の高い情報を、比較的長い寿命で提供でき、しかも最新の情報への更新も速やかに行え、Ｅコマースとの連動により販売行動を惹起することを可能とする。
【００１２】
【表１】
2007018227.tif 000003
【００１３】
本発明の情報配信システムは、さらにユーザーの側からも情報管理を行うことができる。すなわち、バインダーというユーザーの気に入った電子ファイル及び関連情報を集めた集合データを、ユーザーがストレージサーバー１上に作成することができ、これを他のユーザーにＷＥＢサーバー２を通じて公開することが可能である。このことにより、広告印刷物情報掲載者からの情報頒布に留まらず、ユーザーが形成するネットワークを通じても情報頒布が広がるため、高い宣伝効果を発揮することができるという顕著な効果を奏する。
【実施例１】
【００１４】
以下、本発明の実施例を図面を参照しつつ詳細に説明する。
【００１５】
図３は、ストレージサーバー１上に保管管理されたデータをＷＥＢサーバー２によってインターネット上に公開した一例である。図のように、トップページには検索機能・特集企画・いちおしトピックなどと共に、ライフスタイル分析やおみくじといった異なる切り口から広告印刷物の電子ファイルへ誘導することが可能な構成となっている。また、バインダーメニューからは、ユーザーが気に入った電子ファイル及びリンクや関連情報などをまとめて、個人設定のように保存することが可能となっている。このバインダーはユーザーが第３者にメールでリンクを送信して情報を公開することが可能である。
【００１６】
図４は、電子ファイル化された広告印刷物情報のＷＥＢサーバー２における掲載例である。電子ファイル化された広告印刷物であるＰＤＦファイルがサムネイル表示されており、サムネイルをクリックすることで当該ＰＤＦファイルを開くこともできる。また、関連情報としてＰＲや最新情報といったリンクやデータも同じレイアウトに表示される。関連データは、画像やムービーであっても良く、さらにＥコマースサイトやショッピングページへ誘導するリンクも同一レイアウトに掲載され、ユーザーへの魅力有る情報配信及び購買意欲の惹起を効果的に行っている。また、キャンペーンなど、広告印刷物情報の掲載者の側から意図的にアクションをかけることも可能である。
【実施例２】
【００１７】
図５は、関連情報として動画データを中心にし、ユーザーへの訴求力を高めた情報配信例である。単なる広告印刷物の掲載だけではなし得ない、ユーザーへの強い訴求力を持つプロモーションを行うことが可能である。
【実施例３】
【００１８】
図６は、視覚的な訴求力を高め、購買意欲を高める目的にて構成された実施例である。静止画像をフォルダ分けして、多くの視覚情報を整理された形で表示することにより、興味惹起、商品理解、そして購買意欲を惹起するように構成されている。
【実施例４】
【００１９】
図７は閲覧者の興味を喚起する詳細情報を掲載した実施例である。静止画像、動画だけでなく、テキストでの詳細情報の掲載も同一レイアウトにて行うことが可能である。
【実施例５】
【００２０】
図８は、必須情報である広告印刷物データと最小限のテキストのみを掲載した実施例である。無用でデータサイズの大きなデータの掲載を控え、必須情報と広告印刷物のみでコアとなる情報を配信した実施例である。
【００２１】
以上の各実施例に示したように、電子ファイル化された広告印刷物の情報を中心とした本発明の情報配信システムは、幅広い適応範囲を有し、単なるＷＥＢ配信と広告印刷物頒布の湊合に留まらない効果的な情報配信を行うことを可能にする。
【産業上の利用可能性】
【００２２】
本発明の情報配信システムは、信頼度の高いパンフレットを主とした広告印刷物情報をＷＥＢ配信及びユーザーの持つネットワークによって速やかに広く配信可能であるため、Ｅコマースとの連動などにおいて購買意欲の惹起を有効に行える。
【図面の簡単な説明】
【００２３】
【図１】本発明の情報配信システムの概略図
【図２】本発明の情報配信システムのオンラインストレージ機能及び情報編集機能の説明図
【図３】実施例１の説明図
【図４】実施例１におけるＷＥＢサーバー２での公開例
【図５】実施例２におけるＷＥＢサーバー２での公開例
【図６】実施例３におけるＷＥＢサーバー２での公開例
【図７】実施例４におけるＷＥＢサーバー２での公開例
【図８】実施例５におけるＷＥＢサーバー２での公開例
【符号の説明】
【００２４】
１  ストレージサーバー
２  ＷＥＢサーバー
３  サイト閲覧者の情報端末
４  広告印刷物の掲載者が所有する情報端末
５  本発明の情報配信システム
【図１】
2007018227.tif 000004
【図２】
2007018227.tif 000005
【図３】
2007018227.tif 000006
【図４】
2007018227.tif 000007
【図５】
2007018227.tif 000008
【図６】
2007018227.tif 000009
【図７】
2007018227.tif 000010
【図８】
2007018227.tif 000011